(57)【要約】【課題】本考案は、従来の電子美容用マスクの素材として不織布を使用し、顔面に付着させていたガーゼを不織布に変えて一体化させることにより、施療作業が容易であり、保湿性が高く、使い捨てが可能であり、しかも、製造コストの安価な電子美容用マスクを提供することにある。【解決手段】本考案に係る電子美容用マスクＢは、被覆シートＢ１を１枚の不織布から構成し、その表面に電極装着部Ｂ２−１〜Ｂ２−１２を設けてなるものであり、電極装着部に電極を装着して顔面に覆い被せるだけで電子美容の施療を行うことができるものである。【選択図】        図５
0003123202.tif 000002
【実用新案登録請求の範囲】
【請求項１】
不織布よりなる所定形状の被覆シートの表面に電極装着部を設けてなることを特徴とする電子美容用マスク。
【請求項２】
被覆シートは、該被覆シートを構成する不織布が内側不織布と外側不織布とからなり、外側不織布の表面に電極装着部を設けてなることを特徴とする請求項１に記載の電子美容用マスク。
【請求項３】
内側不織布と外側不織布とを貼り合わせて一体化して形成されてなることを特徴とする請求項２に記載の電子美容用マスク。
【請求項４】
被覆シートが１枚の不織布からなることを特徴とする請求項１に記載の電子美容用マスク。
【請求項５】
電極装着部は、融着繊維を含む不織布よりなるものであって、被覆シートの表面に溶着されていることを特徴とする請求項１〜４のいずれか１項に記載の電子美容用マスク。
【請求項６】
鼻及び口に対応する個所を切り欠いてなる不織布シートを被覆シートの表面に取着し、その取着線により囲まれる領域を電極装着部としたことを特徴とする請求項１〜４のいずれか１項に記載の電子美容用マスク。
【考案の詳細な説明】
【技術分野】
【０００１】
本発明は、微弱の電気的刺激による皮膚細胞の活性化を利用した美容、いわゆる電子美容の施療において使用される電子美容用マスクに関する。
【背景技術】
【０００２】
従来の電子美容の施療は、通常、美容液等の化粧料を含浸させたガーゼを顔面に付着させ、その上から複数の電極挿入用ポケットを設けたパイル地製の電子美容用マスクで顔面を覆って当該マスクを紐等により顔面に固定し、前記電極用ポケットに電極を挿入して通電することにより、微弱の電気的刺激を皮膚に与えるようにしている。その際、電子美容用マスクは事前に水に浸すなどして水分を与えて通電できる状態にして使用する。
【特許文献１】特開
【考案の開示】
【考案が解決しようとする課題】
【０００３】
しかしながら、上記従来の電子美容用マスクは、紐等で顔面に固定する手数が掛かるという欠点がある。また、施療中にマスクが乾燥して通電状態が不良になることがあるため、通電状態を確保できる時間に施療時間を短縮する場合がある。その場合には、電子美容の施療効果が充分でないことも起こり得る。そのため、施療の途中で当該マスクにスプレー噴霧等により水分を補給して通電状態を維持するようにすることが考えられるが、頻繁に当該マスクに水分を補給することは、繁雑な作業であり、施療者に不快感を与えるおそれもある。また、適時に当該マスクに水分補給をすることは室内の温度や湿度等の環境による影響が大きいため管理が面倒であり、確実性に欠けるおそれがある。また、当該電子美容用マスクやガーゼは繰り返し使用するため、洗浄、殺菌、乾燥等の作業が不可欠であり、面倒でコストが掛かるという欠点があった。
【０００４】
そこで、本考案者は、従来の電子美容用マスクの素材として不織布を使用し、顔面に付着させていたガーゼを不織布に変えて一体化させることにより、施療作業が容易であり、保湿性が高く、使い捨てが可能であり、しかも、製造コストの安価な電子美容用マスクを考案した。
【課題を解決するための手段】
【０００５】
本考案に係る電子美容用マスクは、不織布よりなる所定形状の被覆シートの表面に電極装着部を設けてなることを特徴とするものである。
【０００６】
このように電子美容用マスクに不織布を用いることにより、材料面において製品価格を大幅に引き下げることができ、使い捨てが可能となる。また、施療作業効率の向上だけでなく、衛生面の問題も解決できる。また、不織布により形成したことで保水性が向上し、一度に充分な化粧料や水分を含浸させることができる。また、被覆シートに電極装着部を設ける方法としては、縫着、接着剤による接着、熱溶着等による取着方法が考えられる。なお、当該マスクの縫製部分を熱溶着にすれば、製造工程が簡素化できるので製造のコストダウンが図れる利点がある。
【０００７】
なお、前記被覆シートは、これを構成する不織布が内側不織布と外側不織布とからなり、外側不織布の表面に電極装着部を設けてなる構成してもよい。その際、内側不織布と外側不織布とを、接着剤による接着、熱溶着、ニードリング加工等による取着方法により貼り合わせて一体化してもよい。内側不織布は、柔軟性及び肌触りの点から綿を使用するのが好適であり、極細繊維を使用するのがより一層好適である。なお、内側不織布の適切な材料として、レーヨンや綿、ポリエステル、ポリプロピレン、ポリエチレン、ナイロン、ウレタン等の単体若しくはこれらの複合材料を使用することが考えられる。また、電極装着部を設ける外側不織布の適切な材料として、レーヨンや綿、融着繊維であるポリエチレン、ポリプロピレン、ポリエステル、ナイロン、ウレタン等の単体若しくはこれらの複合材料を使用することが考えられる。
【０００８】
また、本発明に係る電子美容用マスクにおいて、被覆シートを１枚の不織布から構成してもよい。その場合には、前述した内側不織布の材料、すなわち、レーヨンや綿、ポリエステル、ポリプロピレン、ポリエチレン、ナイロン、ウレタン等の単体若しくはこれらの複合材料を使用することが考えられる。とりわけ、電極装着部を設けることに関係して、融着繊維であるポリエチレン、ポリプロピレン、ポリエステル、ナイロン、ウレタン等の単体若しくはこれらの複合材料を使用することが望ましい。
【０００９】
また、本発明に係る電子美容用マスクにおいて、電極装着部が、融着繊維を含む不織布より形成することにより被覆シートの表面に溶着されるように構成してもよい。
【００１０】
さらに、本発明に係る電子美容用マスクにおいて、鼻及び口に対応する個所を切り欠いてなる不織布シートを被覆シートの表面に取着し、その取着線により囲まれる領域を電極装着部としてもよい。
【考案の効果】
【００１１】
本考案に係る電子美容用マスクは、上記のように構成したことにより、使い捨てが可能となり、衛生的であり、肌触りが良く、保水性が向上し、不織布を利用するため経済的であり、美容液を節約できる効果がある。
【考案を実施するための最良の形態】
【００１２】
以下、本考案に係る電子美容用マスク（以下、「マスク」という）の実施例を添付の図面に基づいて詳細に説明する。
【実施例１】
【００１３】
本実施例は、マスクを構成する被覆シートを外側不織布と内側不織布とで構成し、該外側不織布の表面に電極装着部を設けてなるものであり、その使用方法としては、例えば、内側不織布を顔面に覆い被せ、その内側不織布の上に電極を装着した外側不織布を覆い被せるように重ね合わせることにより、電子美容の施療を行うことができる。
【００１４】
図１は本実施例に係るマスクの被覆シートを構成する外側不織布に電極装着部を設けた状態を示す表面図であり、図２は外側不織布の表面図であり、図３は電極装着部を形成する不織布製パーツの表面図であり、図４は本実施例に係るマスクの被覆シートを構成する内側不織布の表面図である。
【００１５】
図１において、Ａ１は外側不織布であり、その表面に電極装着部Ａ２−１〜Ａ２−１２を設けたものである。外側不織布Ａ１は、図２に示すように、所定の形状すなわち人の顔面における額から顎までの間及び両頬間を覆い被せることが可能な形状をなし、その中央部に鼻呼吸を可能にする矩形の切り欠き１０を形成したものである。該外側不織布Ａ１は、融着繊維であるポリエチレン及びポリプロピレンの複合材料で形成した不織布より形成される。なお、融着繊維としては、これに限られるものではなく、ポリエチレン、ポリプロピレン、ポリエステル、ナイロン、ウレタン等の単体若しくはこれらの複合材料を使用することができ、これらの融着繊維とレーヨンや綿との複合材料を使用してもよい。また、後述する電極装着部Ａ２−１〜Ａ２−１２を構成するための不織布製パーツに融着繊維を使用していれば、外側不織布に必ずしも融着繊維を使用する必要はなく、レーヨンや綿等の単体又は複合材料を使用してもよい。
【００１６】
電極装着部Ａ２−１〜Ａ２−１２は、図３に示す不織布製パーツ１１ａ，１１ｂ，１１ｃ，１１ｄを外側不織布Ａ１に設けることにより形成される。すなわち、不織布製パーツ１１ａは額部電極装着部Ａ２−１〜Ａ２−４を形成し、不織布製パーツ１１ｂは左頬部電極装着部Ａ２−５，Ａ２−６を形成し、不織布製パーツ１１ｃは右頬部電極装着部Ａ２−７，Ａ２−８を形成し、不織布製パーツ１１ｄは顎部電極装着部Ａ２−９〜Ａ２−１２を形成する。これら不織布製パーツ１１ａ，１１ｂ，１１ｃ，１１ｄは、融着繊維を含む不織布より形成されており、かつ、外側不織布Ａ１も融着繊維を使用しているため、外側不織布Ａ１に対して、図１に示す肉太の線で表した取着線Ｐに沿って熱溶着により接着され、その取着線Ｐにより囲まれる領域が電着装着部Ａ２−１〜Ａ２−１２を形成する。
【００１７】
図４は、内側不織布Ａ３を示し、該内側不織布Ａ３は、肌に接触するものであるため綿で形成されており、そのため柔軟性があり、かつ、肌触りを良好なものとしている。この内側不織布Ａ３の形態は、外側不織布Ａ１と同一の外形をなしており、中央部においては、外側不織布Ａ１における矩形の切り欠き１０に代えて、逆Ｔ字状の切れ目１２が設けられており、呼吸し易くするため及び内側不織布Ａ３を肌に密着させ易くするために鼻が露出できるようになっている。この内側不織布Ａ３の材料としては、上記のものに限られるものではなく、極細繊維を使用するのがより一層好適であり、レーヨンや綿、ポリエステル、ポリプロピレン、ポリエチレン、ナイロン、ウレタン等の単体若しくはこれらの複合材料を使用してもよい。
【００１８】
なお、上記実施例においては、電極装着部Ａ２−１〜Ａ２−１２を溶着した外側不織布Ａ１と内側不織布Ａ３とをそれぞれ分離したものとして説明したが、電子美容の施療に便利なように、外側不織布Ａ１と内側不織布Ａ３とを適当な複数の位置にて接着し、一度の作業でマスクを顔面に覆い被せるようにしてもよい。
【実施例２】
【００１９】
本実施例は、上記実施例１において、図２に示す外側不織布Ａ１と図４に示す内側不織布Ａ３とを積層一体化して被覆シートを形成し、その表面、すなわち外側不織布Ａ１の表面に図３に示す不織布パーツ１１ａ〜１１ｄを溶着して電極装着部Ａ２−１〜Ａ２−１２を形成したものである。したがって、本実施例のマスクは、電極装着部Ａ２−１〜Ａ２−１２に電極を装着して顔面に覆い被せるだけで電子美容の施療を行うことができる。
【００２０】
なお、外側不織布Ａ１と内側不織布Ａ３とを積層一体化する方法としては、接着剤による接着、熱溶着、ニードリング加工等による取着方法により貼り合わせて一体化する。その余の構成は、実施例１と同様であるため、図及び説明を省略する。
【実施例３】
【００２１】
本実施例は、マスクを構成する被覆シートを１枚の不織布から構成し、その表面に電極装着部を設けてなるものであり、電極装着部に電極を装着して顔面に覆い被せるだけで電子美容の施療を行うことができる。
【００２２】
図５は本実施例に係るマスクの斜視図であり、図６は本実施例に係るマスクの表面図であり、図７は本実施例に係るマスクを構成する被覆シートの表面図であり、図８は電極装着部を形成する不織布パーツの表面図である。
【００２３】
図５及び図６において、Ｂは本実施例のマスクを表し、該マスクＢは図７に示す被覆シートＢ１に対し、図８に示す不織布製パーツ２０を溶着して電極装着部Ｂ２−１〜Ｂ２−１２を形成したものである。被覆シートＢ１は、図７に示すように、所定の形状すなわち人の顔面における額から顎までの間及び両頬間を覆い被せることが可能な形状であって、その中央部に呼吸し易くするため及び被覆シートＢ１を肌に密着させ易くするために鼻が露出できる切り欠きａを有する形状をなしている。また、該被覆シートＢ１は、肌に接触するものであるためその材質は綿より形成されており、そのため柔軟性があり、かつ、肌触りを良好なものとしている。この被覆シートＢ１の材料としては、上記のものに限られるものではなく、極細繊維を使用するのがより一層好適であり、レーヨンや綿、ポリエステル、ポリプロピレン、ポリエチレン、ナイロン、ウレタン等の単体若しくはこれらの複合材料を使用してもよい。また、電極装着部Ｂ２−１〜Ｂ２−１２を形成するための不織布製パーツ２０との溶着性を高めるために、融着繊維であるポリエチレン、ポリプロピレン、ポリエステル、ナイロン、ウレタン等の単体若しくはこれらの複合材料で形成した不織布にて形成することが望ましいが、不織布パーツ２０の素材に融着繊維を使用していれば、被覆シートＢ１に融着繊維を使用する必要はなく、綿やレーヨン等の材料を使用してもよい。
【００２４】
電極装着部Ｂ２−１〜Ｂ２−１２は、不織布製パーツ２０を被覆シートＢ１に設けることにより形成される。不織布製パーツ２０は、図８に示すように、その上半部の左右において目に相当する部分に横長矩形状の切り欠き２１、２２を形成し、中央部に鼻呼吸を可能にする矩形の切り欠き２３（被覆シートＢ１における切り欠きａに対応）を形成し、下半部において口に相当する部分に口呼吸を可能にする横長矩形状の切り欠き２４を形成し、切り欠き２１、２２の上部は額部電極装着部Ｂ２−１〜Ｂ２−４を形成する部分であり、切り欠き２３の左部は左頬部電極装着部Ｂ２−５，Ｂ２−６を形成する部分であり、右部は右頬部電極装着部Ｂ２−７，Ｂ２−８を形成する部分であり、切り欠き２４下部は顎部電極装着部Ｂ２−９〜Ｂ２−１２を形成する部分である。このような形態をなしている不織布パーツ２０は、融着繊維を含む不織布より形成されており、図６に示す肉太の線で表した取着線Ｑに沿って熱溶着により接着され、その取着線Ｑにより囲まれる領域が電着装着部Ｂ２−１〜Ｂ２−１２を形成する。
【図面の簡単な説明】
【００２５】
【図１】実施例１に係るマスクの被覆シートを構成する外側不織布に電極装着部を設けた状態を示す表面図である。
【図２】実施例１に係るマスクの被覆シートを構成する外側不織布の表面図である。
【図３】実施例１に係るマスクの電極装着部を形成する不織布製パーツの表面図である。
【図４】実施例１に係るマスクの被覆シートを構成する内側不織布の表面図である。
【図５】実施例３に係るマスクの斜視図である。
【図６】実施例３に係るマスクの表面図である。
【図７】実施例３に係るマスクを構成する被覆シートの表面図である。
【図８】実施例３に係るマスクの電極装着部を形成する不織布パーツの表面図である。
【符号の説明】
【００２６】
Ａ１・・・外側不織布
Ａ２−１〜Ａ２−４・・・額部電極装着部
Ａ２−５，Ａ２−６・・・左頬部電極装着部
Ａ２−７，Ａ２−８・・・右頬部電極装着部
Ａ２−９〜Ａ２−１２・・顎部電極装着部
Ａ３・・・内側不織布
Ｐ・・・・取着線
１０・・・切り欠き
１１ａ〜１１ｄ・・・不織布製パーツ
１２・・・切れ目
Ｂ・・・・マスク
Ｂ１・・・被覆シート
Ｂ２−１〜Ｂ２−４・・・額部電極装着部
Ｂ２−５，Ｂ２−６・・・左頬部電極装着部
Ｂ２−７，Ｂ２−８・・・右頬部電極装着部
Ｂ２−９〜Ｂ２−１２・・顎部電極装着部
Ｑ・・・・取着線
ａ・・・・切り欠き
２０・・・不織布パーツ
２１・・・切り欠き
２２・・・切り欠き
２３・・・切り欠き
２４・・・切り欠き
【図１】
0003123202.tif 000003
【図２】
0003123202.tif 000004
【図３】
0003123202.tif 000005
【図４】
0003123202.tif 000006
【図５】
0003123202.tif 000007
【図６】
0003123202.tif 000008
【図７】
0003123202.tif 000009
【図８】
0003123202.tif 000010